(57)【要約】【課題】映像表示装置の前面に電動シャッタと距離画像センサを取り付け、自動的に開閉することで表示面の保護を行う画面保護装置を提供することを目的とする。【解決手段】映像表示装置の表示面に取付けられたモータで開閉される電動シャッタと、物体を検知する距離画像センサと、距離画像センサが検知した物体の接近を判定する接近判定部と、接近した物体が所定の人であるか否かを判定する人判定・固体識別部と、人判定・個体識別部の判定結果に応じて、モータの駆動を制御して電動シャッタを開閉させる動作制御部と、を具備することを特徴とする。【選択図】図１
2012047845.tif 000002
【特許請求の範囲】
【請求項１】
映像表示装置の表示面に取付けられたモータで開閉される電動シャッタと、
物体を検知する距離画像センサと、
前記距離画像センサが検知した前記物体の接近を判定する接近判定部と、
接近した前記物体が所定の人であるか否かを判定する人判定・固体識別部と、
前記人判定・個体識別部の判定結果に応じて、前記モータの駆動を制御して前記電動シャッタを開閉させる動作制御部と、
を具備することを特徴とする画面保護装置。
【請求項２】
前記動作制御部は、前記人判定・個体識別部において接近した前記物体が所定の人であると判定された場合に、前記電動シャッタを閉じるよう前記モータの駆動を制御する、ことを特徴とする請求項１に記載の画面保護装置。
【請求項３】
前記動作制御部は、前記人判定・個体識別部において接近した前記物体が人でないと判定された場合に、前記電動シャッタを閉じるよう前記モータの駆動を制御する、ことを特徴とする請求項１に記載の画面保護装置。
【請求項４】
パラメータを設定するパラメータ設定部と、を更に備え、
前記接近判定部は、前記パラメータ設定部に設定された前記パラメータに基づいて前記物体の接近を判定し、
前記人判定・個体識別部は、前記パラメータ設定部に設定された前記パラメータに基づいて、接近した前記物体が所定の人であるか否かを判定する、
ことを特徴とする請求項１に記載の画面保護装置。
【発明の詳細な説明】
【技術分野】
【０００１】
本発明は、画面保護装置に関し、更に詳しくは、テレビ受信機やモニタ等の映像表示装置の表示面を保護する画面保護装置に関するものである。
【背景技術】
【０００２】
テレビ受信機やモニタ等の映像表示装置は、液晶、プラズマ、有機ＥＬ等の薄型ディスプレイパネルが主流となっており、従来のＣＲＴ方式に比べ表示面の強度が弱く、画面清掃時に表示面を損傷するおそれがあった。またリビングのように人が集まる場所に設置されるテレビ受信機の場合は大型製品も多いため、不注意による外部からの接触や幼児のいたずらにより薄型ディスプレイパネルが破損する事例が増加している。
【０００３】
従来は上記の問題を解決するために、専用の保護フィルターを装着し表示面の保護を可能にしている。また、表示面に電動シャッタを設け表示面を保護する画面保護装置がある（例えば、特許文献１参照）。
【０００４】
図４は、上記従来の特許文献１ に記載された画面保護装置を示す。図４（Ａ）は映像表示装置の上面図、図４（Ｂ）は映像表示装置の正面図である。１０１は映像表示装置であり、１０２は表示面である。電動シャッタ１０４の開閉端は、モータ１０５で付勢されて回転する回転軸１０３で左右に移動するワイヤに締結されている。電動シャッタ１０４を開閉する時は、回転軸１０３が回転し、これによってワイヤが電導シャッタ１０４の開閉端を牽引する。そして、電動シャッタ１０４を電源切断後に完全に閉じるか画面アスペクト比により表示が不要な部分まで閉じることにより、表示面１０２の保護を実現している。
【先行技術文献】
【特許文献】
【０００５】
【特許文献１】特開平１０−１７４０２２号公報
【発明の概要】
【発明が解決しようとする課題】
【０００６】
しかしながら、上記従来の構成では、例えば専用の保護フィルターを装着する場合、シート装着の失敗や画面の見え方が変わり表示品位を損ねるという問題があった。
【０００７】
また、上記従来の特許文献１記載の画面保護装置のような電動シャッタ制御の場合は、ユーザが視聴中にシャッタを閉じることができないため、視聴中の外部からの接触により表示面のパネルが破損するという問題があった。
【０００８】
本発明は、上記従来の課題を解決するもので、ユーザが視聴中であっても表示品位を損ねず表示面に向かって危険な物体が接近した際に画面を保護できる機能を提供することが可能な画面保護装置を提供することを目的とする。
【課題を解決するための手段】
【０００９】
本発明の画面保護装置は、前面に距離画像センサを有し、パネルの破損の原因となる物体の接近を検知し接近する物体の内容や速さや距離に応じて電動シャッタの制御を行う。
【００１０】
また、本発明の画面保護装置は、距離画像センサを用い、距離画像センサの入力に対して人検出制御を行うことで接近する物体が人か人以外かを判断できる仕組みを設ける。
【００１１】
また、本発明の画面保護装置は、距離画像センサを用い前、距離画像センサの入力に対して個体認識制御を行うことで、例えば、予め登録した顔と比較し登録した顔と一致する場合は、事前に不揮発性メモリに設定した電動シャッタの動作情報を基に電動シャッタの動きを制御可能とする仕組みを設ける。
【００１２】
また、本発明の画面保護装置は、映像表示装置に入力される映像信号の有無に応じて電動シャッタの開閉を行う制御を設ける。
【発明の効果】
【００１３】
本発明の画面保護装置によれば、電動シャッタの開閉を映像信号状態や、距離画像センサからの入力に応じて、ユーザが視聴中であっても表示面を危険物体の接近に応じて保護することができるようになる。例えば、映像信号入力が無い場合や映像信号がありユーザが視聴中の場合に過失により硬いボールが映像表示装置に投げられた際、画面保護装置が自動で電動シャッタを閉じて画面を保護することができる。
【００１４】
また、人検出制御を行うことで人が近づくだけで電動シャッタが開閉するような誤動作がなく、より確実な保護を行うことができる。
【００１５】
また、個体認識制御を行うことで、人でも例えば乳幼児のようにいたずらで叩くような表示画面の破損につながる行為を行う人が近づいた場合は電動シャッタを閉じることで画面を保護することができる。
【図面の簡単な説明】
【００１６】
【図１】本発明の実施の形態１における画面保護装置の概念を示す図
【図２】本発明の実施の形態１における画面保護装置のシステム構成を示すブロック図
【図３】本発明の実施の形態１における画面保護装置の制御を示すフローチャート
【図４】従来の画像保護装置の概念を示す図
【発明を実施するための形態】
【００１７】
以下本発明を実施するための最良の形態について、図面を参照しながら説明する。
【００１８】
（実施の形態１）
図１は、本発明の実施の形態１における画面保護装置の概念を示す図である。図１（Ａ）は映像表示装置の上面図であり、図１（Ｂ）は映像表示装置の正面図である。図１において、図５と同じ構成要素については同じ符号を用い、説明を省略する。
【００１９】
また、図２は、電動シャッタ１０４の駆動回路システムの構成を示す概略ブロック図である。テレビ映像等を表示する映像表示装置１０１の表示面１０２の前に左右から開閉する電動シャッタ１０４を取り付けて、映像表示装置１０１の表示面１０２を、不用意な接触による破損等から保護する。例えばフレキシブルなプラスチックの薄板からなる電動シャッタ１０４をモータ１０５で付勢して、モータ１０５の回転軸１０３に巻き付けたり、巻き戻したりすることにより映像表示装置１０１の表示面１０２の前面を左右から開閉する。
【００２０】
例えば、映像表示装置１０１に入力される映像信号入力の有り・無しに連動して、信号無しときは、電動シャッタ１０４を閉じ、信号有りで開くようにしておくと、映像表示装置１０１に映像を表示していないときは電動シャッタ１０４が閉じて、映像表示装置１０１の表示面１０２を保護するようになる。なお、電動シャッタ開閉の際、位置センサ１０６の信号変化に応じてモータの動作と停止を制御することにより電動シャッタ１０４の開閉位置を任意に設定することができるようにする。
【００２１】
電動シャッタ１０４の駆動回路システムの動作制御部３０７では、後述する図３の制御フローにしたがって、映像表示装置１０１の映像表示処理部３０２から出力する映像信号の有無にしたがって、モータ駆動部３０３にモータ１０５を回転させる信号を伝送して電動シャッタ１０４を開閉することにより開閉動作を制御する。映像信号が一定期間無いときは電動シャッタ１０４を閉じるようにパルスモータの駆動パルス数をモータ駆動部３０３に供給して電動シャッタ１０４を閉じる。
【００２２】
なお、無信号を検出してから電動シャッタ１０４が閉じるまでの時間は不揮発性メモリ３０６に保持し、ユーザがリモコン３０４からパラメータ設定部３１０を介して任意に設定できるようにする。
【００２３】
また、図１において近赤外線センサ２０１と近赤外線センサ２０１の反射光を受け取るＣＣＤ画像センサ２０２からなるアクティブ型の距離画像センサ３０５を用いる。
【００２４】
ここで、図３のフローチャートを用いて、動作制御部３０７の制御を説明する。
【００２５】
本実施の形態では、距離画像センサ３０５により物体を検知すると物体検知部３１３と接近判定部３１２にて表示面１０２に接近しているかを判断する。また、人判定・個体認識部３１１により人であるか、また登録された個体であるかを判別し図３の制御フローの手順にしたがって、電動シャッタ１０４を開閉する。
【００２６】
まず、映像信号を検出したかどうか判断し（ステップＳ３０１）、映像信号を検出しなかった場合は（ステップＳ３０１で「ＮＯ」）、電動シャッタ１０４の開閉を判断する（ステップＳ３０２）。電動シャッタ１０４が開いていた場合は（ステップＳ３０２で「ＮＯ」）、一定時間経過後に（ステップＳ３０３で「ＹＥＳ」）電動シャッタ１０４を閉じて（ステップＳ３０４）処理を終了する。
【００２７】
一方、映像信号を検出した場合は（ステップＳ３０１で「ＹＥＳ」）、電動シャッタ１０４の開閉を判断し（ステップＳ３０５）、電動シャッタ１０４が開いていた場合は（ステップＳ３０５で「ＮＯ」）、表示面１０２に対して物体が接近したかどうかを物体検知部３１３及び接近判定部３１２により判断する（ステップＳ３０６）。物体の接近を検出した場合は（ステップＳ３０６で「ＹＥＳ」）、接近した物体が人であるかどうか、また予め登録された個体であるかどうかを人判定・個体認識部３１１により判断し（ステップＳ３０７、ステップＳ３０８）、接近した物体が人でない場合及び接近した物体が人であってかつ登録された個体であると判断した場合は（ステップＳ３０７で「ＮＯ」、ステップＳ３０８で「ＹＥＳ」）、電動シャッタ１０４を閉じて（ステップＳ３０４）、処理を終了する。
【００２８】
映像信号を検出した場合であって、かつ電動シャッタ１０４が閉じていた場合は（ステップＳ３０１で「ＹＥＳ」、ステップＳ３０５で「ＹＥＳ」）、物体検知部３１３で物体を検出した場合のみ（ステップＳ３０９で「ＹＥＳ」）、電動シャッタ１０４を開ける（ステップＳ３１０）。
【００２９】
例えば、乳幼児が表示面１０２に接近した場合、物体検知部３１３と接近判定部３１２にて表示面１０２に接近していることを判断すると人判定・個体認識部３１１により人であることを認識し、登録された個体であるかを判断する。登録されている場合は電動シャッタ１０４を閉じ、登録されていない場合は電動シャッタ１０４を開けたままにする。
【００３０】
なお、物体検知の感度や接近判定、人判定や個体識別に使用するパラメータは不揮発性メモリ３０６に保持し、ユーザがリモコン３０４からパラメータ設定部３１０を介して任意に設定できるようにする。
【００３１】
かかる構成によれば映像表示処理部３０２に入力される映像信号に応じて、また距離画像センサ３０５の入力に応じて特定の物体の接近を判定することで、映像信号の有無や物体の接近距離に応じて電動シャッタ１０４を開閉し表示面１０２を保護することになりユーザが視聴中であっても表示面１０２を危険物体の接近に応じて保護することができるようになる。
【００３２】
なお、本実施の形態では、フレキシブルなプラスチックの薄板として電動シャッタ１０４を設けたが、アクリル等の樹脂板を用いてもとしても良いし、壁面テレビのような巨大な映像表示装置１０１の場合は壁材に用いる石膏ボードを使用しても良い。また、本実施の形態では、近赤外線センサとＣＣＤセンサからなる距離画像センサ３０５を設けたが、近赤外線センサの代わりにレーザ光を用いても良いし、ＣＣＤセンサの代わりにＣＭＯＳセンサを使用しても良い。
【００３３】
なお、本実施の形態において、画面保護装置は映像表示装置１０１に内蔵しているが、外付け型として使用しても良い。
【産業上の利用可能性】
【００３４】
本発明にかかる画面保護装置は、映像表示装置の入力信号に応じた電動シャッタの開閉や視聴中の表示面保護が可能になるので、薄型テレビやサイネージ用途等のディスプレイの表示面保護装置等として有用である。
【符号の説明】
【００３５】
１０１    映像表示装置
１０２    表示面
１０３    回転軸
１０４    電動シャッタ
１０５    モータ
１０６    位置センサ
２０１    近赤外線センサ
２０２    ＣＣＤセンサ
３０１    ＣＰＵ
３０２    映像表示処理部
３０３    モータ駆動部
３０４    リモコン
３０５    距離画像センサ
３０６    不揮発性メモリ
３０７    動作制御部
３０８    モータ制御部
３０９    タイマ
３１０    パラメータ設定部
３１１    人判定・個体識別部
３１２    接近判定部
３１３    物体検知部
【図１】
2012047845.tif 000003
【図２】
2012047845.tif 000004
【図３】
2012047845.tif 000005
【図４】
2012047845.tif 000006